(57)【特許請求の範囲】
【請求項１】
タービンエンジン構造において、
第１のシャフト上に設けた第１のタービン及び第２のシャフト上に設けた第２のタービンを備えた低圧タービン段と、上記第１のタービンの上流側の入口案内羽根組立体とを有し、上記第１のシャフトがコンプレッサのファンシャフトに結合され、一方、上記第２のシャフトが歯車箱に結合され、当該第１のタービンは、上記入口案内羽根組立体が該第１のタービンへガス流を提供しかつ同第１のタービンからのガス流が上記第２のタービンへ直接提供されるように、同第２のタービンの上流側にあり、該第１のタービン及び当該第２のタービンが使用時に互いに関して逆回転し、該第２のタービンが該第１のタービンよりも速い所定の回転速度比率で回転し、該第２のタービンが同第２のタービンの出口に比較的低い出口ガス速度を提供するような出口面積を有することを特徴とする構造。
【請求項２】
上記所定の回転速度比率が１．９又はそれ以上の程度であることを特徴とする請求項１に記載の構造。
【請求項３】
上記第２のシャフトが上記歯車箱により支配される回転速度を有することを特徴とする請求項１に記載の構造。
【請求項４】
上記第２のタービン上の機械的な負荷は、Ａを平方インチ（１インチ＝２５．４ｍｍ）を単位とする出口流れ面積とし、Ｎを毎分の回転数を単位とする上記第２のシャフトの回転速度とした場合に、ＡＮ２が６×１０１０に等しいか又はそれよりも大きくなるように、制限されることを特徴とする請求項１に記載の構造。
【請求項５】
上記歯車箱が上記タービンエンジン構造のケーシングへの装着を容易にするように遊星歯車型のものであることを特徴とする請求項１に記載の構造。
【請求項６】
上記第１のタービンと上記第２のタービンとの間に５０／５０程度の負荷分割があることを特徴とする請求項１に記載の構造。
【請求項７】
上記入口案内羽根組立体が比較的低い流れ偏向効果を有することを特徴とする請求項１に記載の構造。
【請求項８】
上記第２のタービンの下流側に出口案内羽根が位置することを特徴とする請求項１に記載の構造。
【請求項９】
上記構造にわたっての更なる作業配分のために、付加的なタービンが上記第１のタービンの上流側に設けられ、それによって、当該第１のタービンが上記第２のタービン及び上記付加的なタービンのいずれに比べても一層多い仕事を提供することを特徴とする請求項１に記載の構造。
【請求項１０】
タービンエンジンにおいて、
請求項１に記載のタービンエンジン構造を組み込んだことを特徴とするタービンエンジン。
【発明の詳細な説明】
【技術分野】
【０００１】
本発明はタービンエンジン構造に関し、特に、逆回転するタービンエンジン構造に関する。
【背景技術】
【０００２】
タービンエンジンの作動は周知である。図１を参照すると、ガスタービンエンジンは全体的に符号１０で示され、軸方向の流れ方向において順番に、空気取入れ口１１、推進ファン１２、中圧コンプレッサ１３、高圧コンプレッサ１４、燃焼器１５、高圧タービン１６と中圧タービン１７と低圧タービン１８とを備えたタービン構造及び排気ノズル１９を有する。
【０００３】
ガスタービンエンジン１０は、取入れ口１１へ入る空気が２つの空気流（中圧コンプレッサ１３内への第１の空気流及び推進スラストを提供する第２の空気流）を生じさせるファン１２により加速されるように、普通の方法で作動する。更なる圧縮を行う高圧コンプレッサ１４へ空気を送給する前に、中圧コンプレッサはその中へ導かれる空気流を圧縮する。
【０００４】
高圧コンプレッサ１４から排出される圧縮された空気は燃焼器１５内へ導かれ、この燃焼器において、圧縮空気が燃料と混合され、混合物が燃焼される。次いで、結果として生じた高温の燃焼生成物が膨張し、それにより、付加的な推進スラストを提供するために、ノズル１９を通して排出される前に、高圧、中圧及び低圧タービン１６、１７、１８を駆動する。高圧、中圧及び低圧タービン１６、１７、１８はそれぞれ、適当な相互接続シャフトにより高圧及び中圧コンプレッサ１４、１３を駆動する。
【０００５】
エンジンの作動効率を改善するため、図１におけるタービン段１７、１８と同等の低圧タービン段において、これらの段間の改善された効率のためのステータ素子を設ける必要性を排除するために、逆回転するタービンを提供することが知られている。明らかに、このような逆回転を達成するためには、その上にタービンブレード（翼）を固定したシャフト内に逆回転を生じさせるか、または、ケーシング及び（又は）隣接するタービンブレードのシャフト間に逆回転を存在させるようにケーシングへのこれらのブレードの固定により、逆回転を生じさせる必要がある。これらの状況においては、タービンロータブレード段間の中間の位置でのステータの一層重い重量を排除する利点と、このような逆回転の達成に関連する問題との間で、相対的な折衷を行わなければならないことを認識できよう。
【０００６】
逆回転するエンジン形状に関して行われる多数の異なる接近法がある。１つの接近法は各段においてステータ／ロータ対の普通の構造内に２つの段を有する低圧タービンを提供することである。しかし、低圧タービンは低い空気力学負荷従って一層大きな効率を与える普通のタービンよりも一層速い速度で回転する。この一層速い回転速度は高速の低圧タービンシャフトからそれ自体一層ゆっくり回転するコンプレッサファンへ動力を伝達する歯車箱を利用することにより達成される。しかし、歯車箱を通る付加的な負荷及び動力を与えることにより、効率の固有の減少及びその歯車箱を通しての動力損失が存在することを認識できよう。もっと近年の代わりの接近法は低圧タービンの２つのロータに挟まれた中圧タービンのロータを提供することである。２つの低圧タービンは、これらの低圧タービンと中圧タービンとの間に逆回転が存在するように、回転するケーシングにより接続される。この構造により、第１の低圧タービンは普通のタービンよりも一層大きな空気力学負荷を有し、従って、低圧タービン段の数を減少させることができる。さらに、別の改良点においては、歯車箱は中圧シャフトと低圧シャフトとの間に設けることができる。いずれにしても、動力は中圧タービンから低圧タービンへ伝達され、効率入力に対する作動上の損失を伴わずに一層多くの段を低圧タービンから排除することができる。しかし、逆回転するケーシングを使用することにより、付加的な問題が生じることがあることを理解できよう。
【０００７】
要するに、歯車箱を使用しない装置は一般に付加的な形状上の機械的な複雑さを伴い、また、シャフトの最大回転速度を大幅に制限することがある。しかし、普通の構造よりも一層速い速度での低圧タービンの回転を許容するために歯車箱を使用する装置は歯車箱を通しての動力損失の可能性を有すると共に、エンジンにおいて１つのステータ列を排除する利点をほぼ無効にしないか又は最大化する。
【発明の開示】
【課題を解決するための手段】
【０００８】
本発明に従えば、第１のシャフト上に設けた第１のタービン及び第２のシャフト上に設けた第２のタービンを備えた低圧タービン段と、第１のタービンの上流側の入口案内羽根組立体とを有し、第１のシャフトがコンプレッサのファンシャフトに結合され、一方、第２のシャフトが歯車箱に結合され、第１のタービンは、入口案内羽根組立体が第１のタービンへガス流を提供しかつ第１のタービンからのガス流が第２のタービンへ直接提供されるように、第２のタービンの上流側にあり、第１のタービン及び第２のタービンが使用時に互いに関して逆回転し、第２のタービンが第１のタービンよりも一層速い所定の回転速度比率だけ回転し、第２のタービンが第２のタービンのための低い出口ガス速度を提供するような出口面積を有するようなタービンエンジン構造が提供される。
【０００９】
典型的には、所定の回転速度比率は１．９又はそれ以上の程度である。
一般に、第２のシャフトは歯車箱により支配される回転速度を有する。
典型的には、第２のタービン上の機械的な負荷は、Ａを出口流れ面積（平方インチ）とし、Ｎを第２のシャフトの回転速度（ｒｐｍ）とした場合に、ＡＮ２が６×１０１０に等しいか又はそれよりも大きくなるように、制限される。
【００１０】
通常、歯車箱はタービンエンジン構造のケーシングへの装着を容易にするように遊星歯車型のものである。
通常、第１のタービンと第２のタービンとの間に５０／５０程度の仕事負荷分割が存在する。
【００１１】
一般に、入口案内羽根組立体は低い流れ偏向効果を有する。
一般に、第２のタービンの下流側に出口案内羽根が位置する。
可能なら、構造にわたっての更なる仕事配分のために、付加的なタービンが第１のタービンの上流側に設けられ、それによって、第１のタービンが第２のタービン及び付加的なタービンのいずれに比べても一層多い仕事を提供する。
【００１２】
また、本発明に従えば、上述のようなタービンエンジン構造を組み込んだタービンエンジンが提供される。
【発明を実施するための最良の形態】
【００１３】
ここで、図２を参照しながら本発明の実施の形態を例として説明する。
本発明に従ったタービンエンジン構造の部分概略断面図を提供する図２を参照する。従って、高圧タービン１００は第１の低圧タービン１０１及び第２の低圧タービン１０２の上流側に位置することが分かろう。矢印Ａの方向へのガス流が高圧タービン１００を通過し、次いで、案内羽根組立体１０３により適切に方位決めされて第１のタービン１０１に提供されるように、案内羽根組立体１０３が第１のタービン１０１の上流側に位置する。タービン１０１、１０２が中心軸線Ｘ−Ｘのまわりで回転するように、この構造がほぼ対称的で円筒状であることを認識できよう。
【００１４】
第１のタービン１０１は第１のシャフト１０４に固定され、本発明に従えば、この第１のシャフトはタービンエンジンのコンプレッサ側でコンプレッサファンに結合される。第２のタービン１０２は第２のシャフト１０５に結合され、この第２のシャフトは遊星歯車１０７を組み込んだ遊星歯車型の歯車箱１０６に固定される。第１のタービン１０１を去るガス流Ａは方位決め及び提供を適切に生じさせるために、いかなる案内羽根組立体をも更に必要とせずに、第２のタービン１０２に直接提供されることに留意されたい。
【００１５】
シャフト１０４、１０５はタービン１０１、１０２間でのステータ又は案内羽根組立体の必要性を排除するために互いに関して逆回転する。第２のタービン１０２の下流側には出口案内羽根組立体１０８が位置する。歯車箱１０６は構造のケーシング（図示せず）の近くで支柱１０９上に支持される。
【００１６】
本発明に従えば、第１のタービン１０１及び第２のタービン１０２の回転速度は歯車箱１０６により主に規制され、それによって、タービン１０１、１０２間に所定の回転速度差が存在する。典型的には、この差はタービン１０１、１０２間に１．９の比率の差を提供するようなものであり、第２のタービン１０２は第１のタービン１０１よりも一層速く回転する。回転速度は遊星歯車型の歯車１０７及び適当な軸受１１０を組み込んだ歯車箱１０６により支配される。
【００１７】
先に述べたように、歯車箱を利用する逆回転タービンエンジンについての特殊な問題はその歯車箱を通しての動力損失である。従って、本発明に従えば、案内羽根組立体１０３の適切な形状づけ、並びに、タービン１０１及び第２のタービン１０２内でのブレードの方位決めにより、タービン１０１、１０２間にほぼ５０／５０の仕事又は動力分割を与えることが望ましい。
【００１８】
図２に示す構造は予想される重量を減少させる実質的に２つのシャフト形式のものであることを理解できよう。本発明のタービンエンジン構造を組み込んだタービンエンジンは一般にファンを有し、その後に、高圧コンプレッサ、燃焼室及びこのガス流の下流側で本発明の構造を備えた高圧タービンが続く。入口案内羽根組立体１０３は引き続きの第１のロータタービン１０１上へガス流Ａを普通に偏向する。一般に、高圧タービン１００及び第１のタービン１０１のためのそれぞれのシャフトは逆回転させることができる。この状況においては、案内羽根組立体１０３は、一層少ない動力損失それ故改善されたエンジン効率を伴って、小さな偏向それ故ガス流Ａに対する小さな仕事負荷を有する。
【００１９】
本発明に従えば、第１のタービン１０１は低圧コンプレッサに直接接続されるか又は第１のシャフト１０４を介してファンに接続される。このような状況においては、シャフト１０４は比較的低速で回転し、それ故第１のタービン１０１も同様な低速で回転することを認識できよう。第１のタービン１０１は、そのタービン１０１内のブレードが高偏向翼を組み込むように、配置される。このような状況においては、第１のタービン１０１を出るガス流Ａは典型的には１．１ないし１．３の範囲の相対出口マッハ数を伴う超音速の流速を有する。第１のタービン１０１からの速い退出速度の流れは第２のロータタービン１０２のための許容できる入口条件を提供するために必要である。
【００２０】
本発明に従えば、第２のタービン１０２は効率のために比較的高速で回転する。第２のタービン１０２は状況において機械的に許容できる限り出来るだけ速く回転すべきである。第２のタービン上の機械的な負荷は、Ａを出口流れ面積（平方インチ）とし、Ｎをシャフト１０５の回転速度（ｒｐｍ）とした場合に、ＡＮ２が６×１０１０よりも大きいか又はそれに等しくなるような状態を達成させるべきである。第２のタービン１０２の出口面積が出口ダクト内で絶対流れ速度を維持するのに、すなわち、第２のタービン１０２のすぐ下流側で、ケーシングに対する許容できないガス流の大きな擦り損失を回避するために出来るだけ低くするのに、十分なほど大きくなるのが望ましい。上述の見地から、第１のタービン１０１の効率は、普通の第１の低圧タービン段にとっては普通である出口マッハ数よりも一層大きな出口マッハ数を伴ったその高い相対速度比率のため、空気力学的に一層小さな負荷を受ける普通の低圧タービンに匹敵すること、及び、ところが、本発明に従った第１のタービン１０１は普通の第１の低圧タービンよりも一層有意義に仕事を行い、すなわち、段の効率についての一層大きなマッハ数の効果を補償するようなタービンを横切る一層大きな圧力比率及び一層大きな温度降下を有することを理解できよう。
【００２１】
先に示したように、第２のタービン１０２の回転速度Ｎは、比率がエンジンのコンプレッサファンに結合された第１のシャフト１０４に関して１．９よりも大きくなるか又はこれに等しくなるように、すべきである。第１のシャフト１０４及び第２のシャフト１０５のこの相対速度差は、過剰に大きな動力損失を伴わずに、その機械的な能力内で、歯車箱１０６の許容できる作動を達成するために、必要である。
【００２２】
分かるように、第２のシャフト１０５を通しての比較的高速の第２のタービン１０２は歯車箱１０６を介して低速の第１のシャフト１０４に結合される。この歯車箱１０６はシャフト１０４、１０５の相対回転速度間に必要な制御された規制を生じさせるために遊星歯車型のものである。歯車箱１０６は本発明に従って低圧タービン１０１、１０２の下流側にある出口案内羽根組立体１０８を貫通する支柱（図示せず）を介してケーシング上でそれ自体支持される支柱１０９上で支持される。必要な潤滑及び他の表面要求が支柱１０９内の適当な導管を通して歯車箱１０６及び軸受１１０に提供されることを理解されたい。
【００２３】
第１のタービン１０１と第２のタービン１０２との間での逆回転の利用は一般に、ガス流Ａが第１のタービン１０１から出るときに、第２のタービン１０２がガス流の一層大きな旋回速度に対処できることを保証する。事実、このような一層大きな旋回速度は、流れＡが第２のタービン１０２へ入るときに、その流れの有用な旋回を達成するために必要である。タービン１０２への入口での相対旋回速度は第１のタービン１０１からの出口での相対旋回速度に等しいが、先に示したように大きいタービン１０１、１０２のタービンブレード速度の平均合計より小さいことを理解されたい。
【００２４】
第２のタービン１０２に対する小さい相対入口速度はその第２のタービン１０２を横切る一層大きな速度比率をそこに生じさせることを理解されたい。この一層大きな速度比率は、一層速い回転速度を有するその第２のタービン１０２の結果としての一層小さな空気力学的な負荷と一緒になって、第２のタービン１０２のための一層高い空気力学的な効率をもたらす。付加的な利点は第１のタービン１０１及び第２のタービン１０２の逆回転を使用することによるもので、案内羽根又はステータ組立体がこれらのタービン１０１、１０２間で不必要になることを理解されたい。従って、タービン１０１、１０２間にこのような逆回転を使用することにより、コスト及び重量が大幅に節約される。同様に、その上にそれぞれのタービンブレードを装着した回転する外側ケーシングの使用を回避することにより、一層少ない応力がタービンに提供され、これは、そのタービンが所要の大きな出口面積及び高回転速度を達成できるようにするために第２のタービン１０２に関して特に重要であることを理解されたい。要するに、本発明の構造は従来の構造に比べて一層簡単で一層容易に組立体を製造できる。また、第２のタービン１０２は一層低いガス温度が提供されるため所望の一層速い回転速度を一層満足に達成でき、これがタービン１０２のブレード上の応力を制限することを理解されたい。
【００２５】
歯車箱１０６を通過する低圧タービンの動力の比率を制限することにより、歯車箱を通してすべての動力を伝達する従来の構造に比べて伝達損失が大幅に減少することを理解されたい。このような状況においては、従来の構造に関して一層小型で一層軽量の歯車箱を使用することができる。
【００２６】
歯車箱１０６は一般に低圧タービン段と一体であり、そのため、エンジン内に調節性を維持し、すなわち、低圧タービン段は構造の上流側の高圧タービンから独立に保たれる。
本発明の他の形状的な実施の形態においては、２つよりも多いタービンを設けることができるが、それにも拘わらず、必要な案内羽根又はステータ組立体の数が減少することを理解されたい。従って、２つの案内羽根組立体と３つの低圧タービンとを備えた構造においては、第１段は一般にタービンロータ対に対してステータ／案内羽根組立体の形をした普通のデザインのものである。タービンロータは低圧シャフト速度で回転し、そのロータディスクを介してそのシャフトに直接接続される。第２のタービン段は高仕事性能のもので、超音速相対出口ガス流マッハ数を伴う高偏向翼ブレードを組み込んでいる。この第２のタービンはまた低圧シャフト速度で回転し、そのシャフトに直接接続される。本発明に従えば、第３のタービンはそれ自体のシャフト上において高速で上述の第２のタービンに関して逆方向に回転するように配置される。この第３のタービンは、所要の出口ダクト面積により設定された最大速度及びタービンロータの応力制限を伴うように、歯車箱を介して低圧シャフトに接続される。このような状況においては、第２及び第３のタービンは図２に関して説明した第１及び第２のタービンとそれぞれ同等であることを認識されたい。この２つのステータ／案内羽根及び３つのタービンを備えた構造においては、従来技術よりも相対的に一層大きな動力レベルが、３つのタービン間の３０：４０：３０程度の適当な仕事分割で、伝達されることを理解されたい。
【００２７】
本発明のタービンエンジン構造は、歯車箱形式の形状における摩擦等による動力損失、付加的な複雑さ、及び重量と共にコストを考慮した場合、従来の構造よりも一層有効で、一層安価で、一層軽量である。段の数を減少させたため、長手方向のエンジン長さの大幅な減少を達成することもでき、これはナセルの抗力を減少させることができ、そのため、燃焼する燃料を相対的に減少させることができる。
【００２８】
本発明は、歯車箱を通る動力が少なく、歯車箱を一層小さな寸法にできるように、高速タービンの前に比較的高仕事ではあるが低速のタービンを配した一般形状に関する。２つのタービンはタービンロータ間でのステータ／案内羽根組立体の必要性を排除して重量を更に減少させるように逆回転する。第２のタービンからの出口ダクト面積は作動中の空気力学的な損失を回避してエンジンの効率をもたらすのに十分なほど大きい。本発明に従った構造のこの一般形状により、ブレード翼の角度、ブレードの数、寸法、間隔及び他の因子の見地から、組立体１０３内の案内羽根の特別の方位及びそれぞれのタービン１０２、１０３の提供が所望の作動性能及び目的に基づいて選択されることを認識できよう。同様に、シャフト１０４、１０５それ故タービン１０１、１０２間の所定の回転速度比率の見地から、歯車箱１０６は所望の作動性能要求により選択される。出口ダクト羽根１０８はまた、所望に応じて、構造からエンジンの次の段への所望の排気を達成するように選択される。
【００２９】
特に重要だと思われる本発明の特徴に注意を引くために明細書において努力をしたが、本出願人は、特別に強調したと否とに拘わらず、図面を参照して説明し及び（又は）図面に示したいかなる特許性のある特徴又はこれらの特徴の組み合わせに対しても保護を請求するものである。
【図面の簡単な説明】
【００３０】
【図１】従来のタービンエンジンを示す概略部分断面図である。
【図２】本発明に従ったタービンエンジン構造の半部分の断面を概略的に示す図である。
【符号の説明】
【００３１】
１００    高圧タービン
１０１、１０２    低圧タービン（第１及び第２のタービン）
１０３    案内羽根組立体
１０４、１０５    シャフト（第１及び第２のシャフト）
１０６    歯車箱
１０８    出口案内羽根組立体
Ａ    ガス流
【図１】
0004624145.tif 000002
【図２】
0004624145.tif 000003